(57)【要約】【課題】  発行時間の短縮化が可能な携帯型発券装置の制御方法を提供する。【解決手段】  第１の通路１１から第２の通路１２に搬送時に、磁気記録手段５によって券紙Ｔの磁気記録を行うステップと、第３の通路１３から外部に排出時に、印字部７によって券紙Ｔの印字を行うステップと、券紙Ｔを第３の通路１３に搬送した後であって、遅くとも券紙Ｔの外部排出直後までに、券紙の繰出手段３から他の券紙を第１の通路１１に向けて搬送を開始させるステップとを有する。【選択図】  図１
2005025701.tif 000002
【特許請求の範囲】
【請求項１】
券紙を収納する券紙収納部と、
前記券紙収納部から前記券紙を繰り出す券紙繰出手段と、
前記券紙収納部の出口に近接して配置された磁気記録部と、
前記券紙の発券出口に近接して配置され、前記券紙に印字する印字部と、
前記磁気記録部に隣接して配置される第１の券紙駆動部と、
前記印字部に隣接して配置される第２の券紙駆動部とを備え、
前記第１の券紙駆動部は、前記券紙を、第１の方向に搬送して第１の通路又は第３の通路に移送可能であるとともに、前記第１の方向と逆方向に搬送して前記第１の通路から第２の通路に移送可能であり、
前記第２の券紙駆動部は、前記第３の通路の券紙を前記第１の方向と略同一方向に搬送して外部に排出可能である携帯型発券装置の制御方法において、
前記券紙を前記第１の通路から前記第２の通路に搬送時に、前記磁気記録手段によって前記券紙の磁気記録を行うステップと、
前記第３の通路から外部に排出時に、前記印字部によって前記券紙の印字を行うステップと、
前記券紙を前記第３の通路に搬送した後であって、遅くとも前記券紙の外部排出直後までに、前記券紙繰出手段から他の券紙を前記第１の通路に向けて搬送を開始させるステップと
を有する携帯型発券装置の制御方法。
【請求項２】
請求項１記載の携帯型発券装置の制御方法において、
前記券紙繰出手段から前記他の券紙を前記第１の通路に向けて搬送を開始させる前記ステップは、前記第３の通路から外部へ券紙を排出するのと並行して、前記他の券紙を前記第１の通路に向けて搬送させるステップである携帯型発券装置の制御方法。
【発明の詳細な説明】
【技術分野】
【０００１】
本発明は、電車などの車内での乗り越しなどの際に乗客に乗車券などを発行することができる携帯型発券装置の制御方法に関するものである。
【背景技術】
【０００２】
近時、鉄道などでは、改札の自動化が進められており、自動改札での使用を可能とするため、乗車券や特急券などには、印字手段による印刷記録とともに磁気記録手段による磁気記録を行われている。
【０００３】
一方、電車などの車内で乗り越しなどの乗客に乗車券などを発行することができる携帯型の発券装置がすでに各種開発されており、車掌などが車内を巡回する際に、必要に応じて乗り越しなどの乗客に乗車券や特急券などを発行することができるようになっている。この車内で発行する乗車券や特急券は、磁気記録がされていないと乗客が下車して改札を通る際に自動改札では通ることができないので、携帯型の発券装置は、印刷記録だけでなく磁気記録可能であることが要求される。
【０００４】
このような発券装置は、車掌などが常時携行しながら狭い車内を巡回し、必要に応じて発券させる必要上、できるだけ小型であることが好ましい。特許文献１には、小型化された携帯型発券装置が記載されている。特許文献１の携帯型発券装置は、装置のハウジングの小型化のために、一部重複した搬送路を往復させるなどして搬送経路の工夫がなされている。
【０００５】
この携帯型発券装置は、発券時に次のように動作する（特許文献１の段落［００３０］から［００３２］）。
（１）券紙収納カセットに収納された券紙を繰り出して、第１の方向に第１の通路まで搬送する。
（２）磁気記録を行いながら、第１の方向と逆方向に第２の通路まで搬送する。
（３）第１の方向に第３通路に搬送し、印字しながら排出する。
【０００６】
【特許文献１】特開２００３−１６４７９号公報
【発明の開示】
【発明が解決しようとする課題】
【０００７】
しかし、この携帯型発券装置は、発券指示後、磁気記録及び印字された券紙が外部に排出されるまで、第１の方向の搬送、第１の方向と逆方向の搬送、第１の方向の搬送が行われるため、１枚の券紙の発券に比較的長い時間を必要とする。
【０００８】
そこで、本発明は、上記した事情に鑑み、発券時間の短縮化が可能な携帯型発券装置の制御方法を提供することを目的とするものである。
【課題を解決するための手段】
【０００９】
本発明の携帯型発券装置の制御方法は、券紙を収納する券紙収納部と、
前記券紙収納部から前記券紙を繰り出す券紙繰出手段と、
前記券紙収納部の出口に近接して配置された磁気記録部と、
前記券紙の発券出口に近接して配置され、前記券紙に印字する印字部と、
前記磁気記録部に隣接して配置される第１の券紙駆動部と、
前記印字部に隣接して配置される第２の券紙駆動部とを備え、
前記第１の券紙駆動部は、前記券紙を、第１の方向に搬送して第１の通路又は第３の通路に移送可能であるとともに、前記第１の方向と逆方向に搬送して前記第１の通路から第２の通路に移送可能であり、
前記第２の券紙駆動部は、前記第３の通路の券紙を前記第１の方向と略同一方向に搬送して外部に排出可能である携帯型発券装置の制御方法において、
前記券紙を前記第１の通路から前記第２の通路に搬送時に、前記磁気記録手段によって前記券紙の磁気記録を行うステップと、
前記第３の通路から外部に排出時に、前記印字部によって前記券紙の印字を行うステップと、
前記券紙を前記第３の通路に搬送した後であって、遅くとも前記券紙の外部排出直後までに、前記券紙繰出手段から他の券紙を前記第１の通路に向けて搬送を開始させるステップと
を有することを特徴としている。
【００１０】
これにより、発行時間の短縮化を実現することができる。
【００１１】
また、本発明の携帯型発券装置の制御方法は、前記の携帯型発券装置の制御方法において、
前記券紙繰出手段から前記他の券紙を前記第１の通路に向けて搬送を開始させる前記ステップは、前記第３の通路から外部へ券紙を排出するのと並行して、前記他の券紙を前記第１の通路に向けて搬送させるステップであることを特徴としている。
【００１２】
これにより、発行時間の短縮化をさらに図ることができる。
【発明の効果】
【００１３】
この発明によれば、発券するごとに、収納部内に収納されている次の券紙を磁気記録する直前の待機位置まで搬送させて次の磁気記録動作の開始まで待機させておくので、発行時間の短縮化が可能になる。
【発明を実施するための最良の形態】
【００１４】
以下、この発明の実施の形態について、添付図面を参照しながら詳細に説明する。
図１は、本発明の携帯型発券装置の制御方法が適用された携帯型発券装置を示すものであり、この携帯型発券装置１は、この装置のハウジング１０に、収納部２と、繰出手段３と、搬送手段４と、磁気記録手段５と、切替手段６と、印字手段７と、制御部８（図２参照）とを備えている。
【００１５】
ハウジング１０には、内部に、後述する券紙の待機に利用される第１の搬送路１１と、磁気記録を行う磁気記録手段３を付設したフラットな第２の搬送路１２と、印字記録を行う印字手段６を付設した第３の搬送路１３と、第１の搬送路１１に設けた第１センサ１４と、第２の搬送路１２に設けた第２センサ１５と、後述する給紙室１０Ａに設けたスイッチ１６とを備えており、正方向、逆方向、正方向の順で、略１往復半しながら、各券紙Ｔに対して磁気記録及び印字記録を行うように構成されている。
【００１６】
このハウジング１０の給紙室１０Ａには、図３に示すように、この給紙室１０Ａに装着したときの収納部２を構成するカセットＣの繰出口Ｃ１と正対する部分に、取込口１１Ａが開口されている。また、この取込口１１Ａと第２の搬送路１２の一部（右端部）に開口する交差口１２Ａとの間には、収納部２から繰り出された券紙Ｔを第１の搬送路１１の方向に向けて送り込む傾斜した導入路１１Ｂが形成されている。
なお、第１の搬送路には、図１に示すように、途中に第３の搬送路１３へつながる導入口１１Ｃが形成されているとともに、第３の搬送路１３には、一部が上下方向に回動して第１の搬送路１１に設けた分岐口１１Ｃと連結・連通する切替路６１を設けている。
【００１７】
第１センサ１４は、繰出手段３から繰り出される券紙Ｔの一端が所定の待機位置（これを「磁気記録動作開始点」とよぶ。これが第１の反転位置に相当する。）に達したことを検出するためのものであり、図１に示すように、磁気ヘッド４１から券紙Ｔの長さＬだけ離間した第１の搬送路１１上に設置されている。また、第２センサ１５は、待機位置から繰り出された券紙Ｔの他端が所定位置（第２の反転位置）に達したことを検出するためのものであり、これらは、それぞれ、図２に示すように、制御部７の入力に接続されている。
【００１８】
収納部２は、券紙Ｔが収納されたカセットＣで構成されており、このカセットＣの内部には、枚葉状にカットされた券紙Ｔが多数枚積層状態で収容されており、ハウジング１０に形成した給紙室１０Ａに装着するようになっている。
また、このカセットＣをハウジング１０に形成した給紙室１０Ａに着脱すると、図４に示すように、ハウジング１０に形成した給紙室１０Ａに臨んで設けるスイッチ１６がこれを検出して検出信号を制御部へ出力するように構成されている。
【００１９】
繰出手段３は、給紙室１０Ａに臨むハウジング１０に設置されており、収納部２内部から券紙Ｔを第１の搬送路１１上の待機位置（磁気記録動作開始点）へ向けて正方向に繰り出すようになっている。
この繰出手段３の動作は、後述する制御部８の制御により、切替路６１が下方へ回動するタイミングと同期して（或は完全に回動しきったことを確認して）開始するようになっており、これにより、前の券紙Ｔがハウジング１０の外部へ排出されるのに先立ち、次券紙Ｔが待機位置まで繰り出すようになっている。
なお、本実施形態では、この繰出手段３を、後述するモータ４２からの回転力を伝達させる図示しないギア列と、このギア列からの回転力で回転する図示しないピニオンと、このピニオンに噛合する図示しないラックと、このラックに固設した繰出爪３１などで構成している。
【００２０】
搬送手段４は、繰出手段３で第１の搬送路１１上へ繰り出された券紙Ｔを繰出手段３による搬送（正）方向とは反転させて第２の搬送路１２に向けて逆方向に送り出す第１の搬送手段と、磁気記録された券紙Ｔを第２の搬送路１２上で反転させ正方向であるが第１の搬送路１１とは異なる搬送路、つまり搬送路を切替えた第３の搬送路１３上へ送り出す第２の搬送手段とを兼用するようになっており、適宜のモータ（第１の券紙駆動部）、例えばＤＣモータ（以下、これを第１モータ４２とよぶ）で駆動する駆動ローラ４１などで構成している。
【００２１】
磁気記録手段５は、待機位置（磁気記録動作開始点）からフラットな第２の搬送路１２上を搬送される券紙Ｔに磁気情報を記録するものであり、前述した駆動ローラ４１を兼用する第１プラテンローラと、これに対向する磁気ヘッド５１とを備えており、前述した第１モータ４２で強制回転するように構成されている。
さらに、この磁気記録手段５は、磁気記録させた直後の券紙Ｔに対して印字手段７での印字を行うのに先立ち、券紙Ｔに磁気記録されていた磁気記録情報を読取って記録内容の確認を行なう読取確認手段としての機能も備えている。
なお、本実施形態では、この確認作業により磁気記録情報内容に誤記などがあることを検出すると、次の印字動作を行なわずに、直ちにハウジング１０へ強制的に排出させるとともに、次券紙Ｔを直ちに待機位置まで移動させて磁気記録動作を再度行うように構成されている。
【００２２】
切替手段６は、第２の搬送路１２と第３の搬送路１３との間での搬送路の切替えを行うためのものであり、図１に示す前述の切替路６１を上方向に回動させると、第１の搬送路１１から第３の搬送路１３へ搬送路が切替られるようになっている。
本実施形態の切替手段６では、例えば印字手段７に設けた後述する第２プラテンローラ７１を駆動するモータ７３の駆動力を利用して切替路６１を上下方向に回動させるようになっており、例えば、この第２モータ７３からの回転力を適宜の伝達機構などで伝達して回動動作に変換させ、切替路６１を上下方向に回動させるようになっている。
【００２３】
印字手段７は、第３の搬送路１３上で券紙Ｔに印字情報を記録するものであり、第２プラテンローラ７１と、これに対向する印字（サーマル）ヘッド７２とを備えており、前述した第１のモータ４２とは別の適宜のモータ（第２の券紙駆動部）、例えばＤＣモータ（以下、これを「第２モータ」７３とよぶ）で強制回転するように構成されている。また、この第２プラテンローラ７１は、磁気記録及び前記印字記録がなされた券紙をハウジング１０外部へ排出する排出手段も兼用している。
【００２４】
制御部８は、繰出手段３と、搬送手段４と、磁気記録手段５と、切替手段６と、印字手段７と、前述した排出手段などを制御する制御手段を構成するものであるが、特に本発明では、ハウジング１０外部へ券紙Ｔを排出した後に、次券紙Ｔを収納部２から繰り出して磁気記録手段５の近傍で磁気記録の動作開始まで待機させる（以下、これを「待機動作」とよぶ）ことも行っている。
即ち、この制御部８は、次発券Ｔの発券開始により次券紙Ｔの磁気記録動作を直ちに開始させるために、この磁気記録動作に先立ち、繰出手段及び搬送手段４を制御して次券紙Ｔの先端（図７では左端）を磁気記録動作開始点Ｘ（図７（Ｂ）参照）に位置決めさせて磁気記録の動作開始まで待機させるように構成している。
【００２５】
さらに、この制御部８は、カセットＣをハウジング１０に形成した給紙室１０Ａに装着すると、この給紙室１０Ａに臨んで設けたスイッチ１１が作動して携帯型発券装置１の電源が入り、発券動作が開始する（ここでは、磁気記録動作が開始する）前に、予め、最初の券紙Ｔを磁気記録動作開始点（待機位置）まで搬送させるため、繰出手段３及び搬送手段４を制御するようになっている。
また、この制御部８は、給紙室１０Ａに装着していたカセットＣをから取り外すと、スイッチ１１が作動し、ハウジング１０の内部に最後に残っている未使用の券紙Ｔをハウジング１０の外部へ排出させるようにするため、排出手段である印字手段７の第２のプラテンローラ７１を駆動する第２モータ７３を制御するようになっている。
【００２６】
次に、図１に示す携帯型発券装置の発券動作（特に、携帯型発券装置の制御方法）について、図５及び図６に示すフローチャートを参照しながら説明する。
（１）第１ステップＳ１は、券紙Ｔを多数収納したカセットＣを給紙室１０Ａに装着すると、スイッチ１１がオンして検出信号が制御部８に出力される。これにより、携帯型発券装置１の電源が自動的に入る。
（２）すると、第２ステップＳ２では、制御部８からの制御信号により、繰出手段３及び搬送手段４が順次作動し、図１に示すように、券紙Ｔが収納部２であるカセットＣから第１の搬送路１１に向けて送り出されるとともに、搬送手段４である第１モータ４２の駆動が作動し、駆動ローラ（プラテンローラ）４１が強制的に正回転駆動する。なお、この場合、図１に示すように、制御部８は、予め切替手段６を制御して切替路６１を下方へ回動させておくようになっており、第３の搬送路１３への搬送動作が行われないようになっている。
【００２７】
（３）そして、第３ステップＳ３では、第１の搬送路１１上の所定位置に設置している第１センサ１４が券紙Ｔの一端（左端）を検出するか否かを判断する。そして、券紙Ｔを検出しないと判断した場合には、再度この第３ステップＳ３の動作を繰返す一方、券紙Ｔを検出したと判断すると、次の第４ステップＳ４へ移行する。
（４）次に、第４ステップＳ４では、図７（Ａ）に示すように、第１センサ１４が券紙Ｔの一端（右端）を検出したと判断すると、直ちに、制御部８へ検出信号が出力されるので、この信号を入力する制御部８では、第１モータ４２の駆動が停止し、駆動ローラ（プラテンローラ）４１が直ちに回転を停止する。これにより、図７（Ｂ）に示すように、券紙Ｔの他端（左端）が磁気記録動作の開始点Ｘに位置合わせされた状態で次の磁気記録動作の開始まで待機する。
【００２８】
（５）第５ステップＳ５では、乗客による乗り越し切符の発売希望に応じて、車掌が図示しない発券用のボタンを操作すると、発券動作が開始する。
（６）第６ステップＳ６では、制御部８による制御で、初めに駆動ローラ（第１プラテンローラ）４１が逆回転を開始する。
（７）従って、第７ステップＳ７では、図８に示すように、券紙Ｔの左端から駆動ローラ（第１プラテンローラ）４１に噛み込まれていくので、第２の搬送路１２のある左方へ向けて搬送されるとともに、券紙Ｔの裏面に磁気情報が書き込まれていく。
【００２９】
（８）次に、第８ステップＳ８では、第２の搬送路１２上の所定位置に設置している第２センサ１５が券紙Ｔの他端（左端）を検出するか否かを判断する。そして、券紙Ｔを検出しないと判断した場合には、再度この第８ステップＳ８の動作を繰返す一方、券紙Ｔを検出したと判断すると、次の第９ステップＳ９へ移行する。
（９）次に、第９ステップＳ９では、第２センサ１５が券紙Ｔの他端（左端）を検出したと判断すると、直ちに、制御部８へ検出信号が出力されるので、この信号を入力する制御部８では、第１モータ４２の駆動が停止し、駆動ローラ（第１プラテンローラ）４１が直ちに回転を停止する。
（１０）そして、第１０ステップＳ１０では、制御部８の制御により、切替手段６が駆動を開始して、図９に示すように、切替路６１が上方に回動し第１の搬送路１１と交差するところで上昇動作が停止するので、第１の搬送路１１から第３の搬送路１３に搬送路の切替が行われる。
【００３０】
（１１）第１１ステップＳ１１では、その後、直ちに、制御部８の制御によって第１モータ４２の駆動が再開し、駆動ローラ（第１プラテンローラ）４１が直ちに正回転を始める。
（１２）そして、第１２ステップＳ１２では、図１０に示すように、券紙Ｔが磁気ヘッド５１を通過する際に、磁気情報を読取っていく。
【００３１】
（１３）第１３ステップでは、第１２ステップＳ１２で読取った磁気情報に誤りがあるか否かを判断する。そして、磁気情報の記録に誤りがないと判断された場合には、次の第１４ステップＳ１４へ移行する一方、情報記録に誤りがあると判断された場合には、第２５ステップＳ２５へ移行する。
（１４）そして、第１４ステップＳ１４では、図１１に示すように、券紙Ｔが第３の搬送路１３を印字ヘッド７２に向けて搬送されていくとともに、第２プラテンローラ７１で強制的にハウジング１０の外部に向けて送り出されながら印字ヘッド７２で印字情報が印字されていく。これにより、券紙Ｔに印字情報の記録が終了すると、乗り越し乗車（補助）券などの発行が終了して、ハウジング１０から外部へ排出されてくる。
【００３２】
（１５）第１５ステップＳ１５では、その出来上がった補助乗越券をハウジング１０から取り出すと、制御部７は、予め切替手段６を制御して切替路６１を再び下方へ回動させて第１の搬送路１１と交差しないように退避させておく。これにより、第１の搬送路１１が使用可能な状態となる。
【００３３】
（１６）そして、第１６ステップＳ１６では、制御部８により、次の繰り出し動作が開始し、第２ステップＳ２と同様の動作が再開される。即ち、繰出手段３及び搬送手段４が順次作動し、図１に示すように、次の券紙ＴがカセットＣから第１の搬送路１１に向けて送り出されるとともに、搬送手段４である第１モータ４２の駆動が開始し、駆動ローラ（第１プラテンローラ）４１が強制的に正回転する。
（１７）次に、第１７ステップＳ１７では、第３ステップＳ３と同様に、第１の搬送路１１上の所定位置に設置している第１センサ１４が券紙Ｔの一端（左端）を検出するか否かを判断する。そして、券紙Ｔを検出しないと判断された場合には、再度この第１７ステップＳ１７の動作を繰返す一方、券紙Ｔを検出したと判断すると、次の第１８ステップＳ１８へ移行する。
【００３４】
（１８）第１８ステップＳ１８では、第４ステップＳ４と同様に、第１センサ１４が券紙Ｔの一端（右端）を検出したと判断すると、直ちに、制御部８へ検出信号が出力されるので、この信号を入力する制御部８では、第１モータ４２の駆動が停止し、駆動ローラ（第１プラテンローラ）４１が直ちに回転を停止する。これにより、図８（Ｂ）に示すように、券紙Ｔの他端（左端）が磁気記録動作開始点Ｘに位置合わせされた状態で次の磁気記録動作の開始まで待機する。
【００３５】
（１９）第１９ステップＳ１９では、発券動作を終了するか否かを判断する。そして、次にまた乗客からの乗り越し切符の発券希望がある場合には、これを受けた車掌が図示しない発券用のボタンを操作する。これにより、発券動作が再び開始し、第５ステップＳ５への移行がなされ、再び同じ動作を繰り返す。
一方、ここまでで、発券動作を終了させる場合には、第２０ステップＳ２０へ移行する。
【００３６】
（２０）そして、第２０ステップＳ２０では、発券動作を終了させるために、電源を切ればよいが、例えばその日の最終発券作業を終えるような場合には、カセットＣをハウジング１０内の給紙室１０Ａから取り外す。すると、スイッチ１１が作動する。
（２１）そして、第２１ステップでは、第６ステップＳ６と同様に、制御部８による制御で、駆動ローラ（第１プラテンローラ）４１が逆回転を開始する。
（２２）第２２ステップでは、第８ステップＳ８と同様に、第２の搬送路１２上の所定位置に設置している第２センサ１５が券紙Ｔの他端（左端）を検出するか否かを判断する。そして、券紙Ｔを検出しないと判断されたときには、再度この第２２ステップＳ２２の動作を繰返す一方、券紙Ｔを検出したと判断すると、次の第２３ステップＳ２３へ移行する。
【００３７】
（２３）第２３ステップでは、券紙Ｔを検出したところで、直ちに駆動ローラ（第１プラテンローラ）４１が逆回転動作を停止するとともに、正回転動作を開始する。
（２４）そして、第２４ステップＳ２４では、第１０ステップＳ１０と同様に、制御部７の制御により、第２モータ７３が駆動を開始して、図９に示すように、切替手段６の切替路５１が上方へ回動し第１の搬送路１１と交差するところで上昇動作が停止するので、第１の搬送路１１から第３の搬送路１３に搬送路の切替が行われる。
【００３８】
（２５）第２５ステップＳ２５では、第１１ステップＳ１１と同様に、その後、直ちに、制御部８の制御によって第１モータ４２の駆動が再開し、駆動ローラ（第１プラテンローラ）４１が直ちに正回転を始める。
（２６）これにより、第２６ステップＳ２６では、次の発券に待機してハウジング１０内に残っていた最後の券紙Ｔを容易に取り出すことができるので、ハウジング１０内から発券前の全券紙Ｔを漏れなく取り出すことできることになる。その結果、日々の発券枚数と残券紙Ｔとについての集計を、容易にしかも正確に行うことができる。
【図面の簡単な説明】
【００３９】
【図１】本発明の携帯型発券装置の制御方法が適用された携帯型発券装置を示す概略構成図
【図２】本発明の同制御方法が適用された携帯型発券装置における電気的な構成を示すブロック図
【図３】本発明の同制御方法が適用された携帯型発券装置における収納部から券紙をハウジング内部に取り込む際の券紙の移動状態を示す要部の拡大断面図
【図４】本発明の同制御方法が適用された携帯型発券装置のハウジング内部におけるカセットを装着する給紙室を示す概略説明図
【図５】本発明の同制御方法が適用された携帯型発券装置の概略動作の前半部分を示すフローチャート
【図６】本発明の同制御方法が適用された携帯型発券装置の概略動作の後半動作を示すフローチャート
【図７】（Ａ）本発明の同制御方法が適用された携帯型発券装置のハウジング内部での券紙位置を示す図  （Ｂ）本発明の同制御方法が適用された携帯型発券装置のハウジング内部での券紙の左端部位置を示す要部拡大断面図
【図８】本発明の同制御方法が適用された携帯型発券装置における待機状態から磁気記録の開始動作を説明する要部拡大断面図
【図９】本発明の同制御方法が適用された携帯型発券装置における磁気記録動作が完了して搬送路の切替え動作を説明する図
【図１０】本発明の同制御方法が適用された携帯型発券装置において、券紙が磁気記録情報の読取りを行いながら印字ヘッドへ向けて搬送されている状態を示す図
【図１１】本発明の同制御方法が適用された携帯型発券装置において、券紙が印字動作を行いながらハウジング外部へ排出するときの状態を示す図
【符号の説明】
【００４０】
１      携帯型発券装置
１０    ハウジング
１０Ａ  給紙室
１１    第１の搬送路（第１の通路）
１１Ａ  取込口
１１Ｂ  導入路
１１Ｃ  導入口
１２    第２の搬送路（第２の通路）
１２Ａ  導入路
１３    第３の搬送路（第３の通路）
１４    第１センサ
１５    第２センサ
１６    スイッチ
２      収納部
３      繰出手段
３１    繰出爪
４      搬送手段
４１    駆動ローラ（第１のプラテンローラ）
４２    第１モータ（第１の券紙駆動部；ＤＣモータ）
５      磁気記録手段（磁気記録部）
５１    磁気ヘッド
６      切替手段
６１    切替路
７      印字手段（印字部）
７１    第２プラテンローラ（排出手段）
７２    印字ヘッド（サーマルヘッド）
７３    第２モータ（第２の券紙駆動部；ＤＣモータ）
８      制御部
Ｃ      カセット
Ｃ１    繰出口
Ｔ      券紙
【図１】
2005025701.tif 000003
【図２】
2005025701.tif 000004
【図３】
2005025701.tif 000005
【図４】
2005025701.tif 000006
【図５】
2005025701.tif 000007
【図６】
2005025701.tif 000008
【図７】
2005025701.tif 000009
【図８】
2005025701.tif 000010
【図９】
2005025701.tif 000011
【図１０】
2005025701.tif 000012
【図１１】
2005025701.tif 000013